(57)【要約】【課題】あるサービスを利用しようとする利用者が位置する場所において利用可能なソフトウェアプログラムを自動的に起動させる。【解決手段】ＳＳＩＤ取得部３２は、無線通信部３１により受信可能な電波に含まれる識別情報であるＳＳＩＤを取得する。起動アプリ自動選択アプリが起動された状態でユーザがある店舗に入った場合、制御部３４は、ＳＳＩＤ取得部３２により取得されたＳＳＩＤにより推定されるユーザの位置する店舗において利用可能なアプリを起動する。【選択図】図３
2019186616.tif 000002
【特許請求の範囲】
【請求項１】
受信可能な電波に含まれる識別情報を取得する取得手段と、
前記取得手段により取得された識別情報により推定される利用者が位置する場所において利用可能なソフトウェアプログラムを起動する起動手段と、
を備えた情報処理装置。
【請求項２】
電波に含まれる識別情報と、当該識別情報が取得される場所において提供されているサービスを利用するためのソフトウェアプログラムとを対応付けて記憶する記憶手段をさらに備え、
前記起動手段は、前記取得手段により取得された識別情報と対応付けて前記記憶手段に記憶されているソフトウェアプログラムを、利用者が位置する場所において利用可能なソフトウェアプログラムとして起動する請求項１記載の情報処理装置。
【請求項３】
前記取得手段により取得された識別情報により推定される利用者の位置が利用者のいる店舗の種類情報であり、
前記起動手段は、利用者のいる店舗において利用可能なソフトウェアプログラムを起動する請求項１または２記載の情報処理装置。
【請求項４】
前記起動手段は、前記取得手段により取得された識別情報により推定される利用者が位置する場所において利用可能なソフトウェアプログラムが複数ある場合、利用者に当該複数のソフトウェアプログラムを提示した後に、利用者により選択されたソフトウェアプログラムを起動する請求項１または２記載の情報処理装置。
【請求項５】
前記取得手段により取得された識別情報により推定される利用者が位置する場所において利用可能なソフトウェアプログラムが存在しない場合、いずれのサービスも利用可能ではない旨を利用者に通知する通知手段をさらに備えた請求項１または２記載の情報処理装置。
【請求項６】
利用者が利用しようとするサービスが、店舗内に設置された画像形成装置を利用するサービスである請求項３記載の情報処理装置。
【請求項７】
前記ソフトウェアプログラムが、ある特定のサービスを利用するためのアプリケーションプログラムである請求項１から６のいずれか１項記載の情報処理装置。
【請求項８】
受信可能な電波に含まれる識別情報を取得する取得手段と、
前記取得手段により取得された識別情報により推定される利用者が位置する場所において利用可能なサービスに関する情報を表示する表示手段と、
を備えた情報処理装置。
【請求項９】
前記識別情報が、無線ＬＡＮのアクセスポイントの識別子である請求項１から８のいずれか記載の情報処理装置。
【請求項１０】
前記識別子が、無線ＬＡＮのアクセスポイントのＳＳＩＤである請求項９記載の情報処理装置。
【請求項１１】
受信可能な電波に含まれる識別情報を取得する取得ステップと、
前記取得ステップにおいて取得された識別情報により推定される利用者が位置する場所において利用可能なソフトウェアプログラムを起動する起動ステップと、
をコンピュータに実行させるためのプログラム。
【発明の詳細な説明】
【技術分野】
【０００１】
本発明は、情報処理装置およびプログラムに関する。
【背景技術】
【０００２】
特許文献１には、通信相手となる相手機器を探索し、その探索により得られた機器情報に基づいて、相手機器に接続するための接続情報を生成して無線通信タグに書き込むようにした情報処理装置が開示されている。
【０００３】
特許文献２には、無線通信により外部装置の装置情報を取得して、外部装置に機能を実行させるアプリケーションが提供する画面を表示するとともに、取得された装置情報に基づいて、推奨する機能の実行に誘導する誘導画面を表示するようにした情報処理装置が開示されている。
【先行技術文献】
【特許文献】
【０００４】
【特許文献１】特開２０１７−１１２６１８号公報
【特許文献２】特開２０１７−１７７７６８号公報
【発明の概要】
【発明が解決しようとする課題】
【０００５】
本発明の目的は、あるサービスを利用しようとする利用者が位置する場所において利用可能なソフトウェアプログラムを自動的に起動させることが可能な情報処理装置およびプログラムを提供することである。
【課題を解決するための手段】
【０００６】
［情報処理装置］
請求項１に係る本発明は、受信可能な電波に含まれる識別情報を取得する取得手段と、
前記取得手段により取得された識別情報により推定される利用者が位置する場所において利用可能なソフトウェアプログラムを起動する起動手段とを備えた情報処理装置である。
【０００７】
請求項２に係る本発明は、電波に含まれる識別情報と、当該識別情報が取得される場所において提供されているサービスを利用するためのソフトウェアプログラムとを対応付けて記憶する記憶手段をさらに備え、
前記起動手段は、前記取得手段により取得された識別情報と対応付けて前記記憶手段に記憶されているソフトウェアプログラムを、利用者が位置する場所において利用可能なソフトウェアプログラムとして起動する請求項１記載の情報処理装置である。
【０００８】
請求項３に係る本発明は、前記取得手段により取得された識別情報により推定される利用者の位置が利用者のいる店舗の種類情報であり、
前記起動手段は、利用者のいる店舗において利用可能なソフトウェアプログラムを起動する請求項１または２記載の情報処理装置である。
【０００９】
請求項４に係る本発明は、前記起動手段が、前記取得手段により取得された識別情報により推定される利用者が位置する場所において利用可能なソフトウェアプログラムが複数ある場合、利用者に当該複数のソフトウェアプログラムを提示した後に、利用者により選択されたソフトウェアプログラムを起動する請求項１または２記載の情報処理装置である。
【００１０】
請求項５に係る本発明は、前記取得手段により取得された識別情報により推定される利用者が位置する場所において利用可能なソフトウェアプログラムが存在しない場合、いずれのサービスも利用可能ではない旨を利用者に通知する通知手段をさらに備えた請求項１または２記載の情報処理装置である。
【００１１】
請求項６に係る本発明は、利用者が利用しようとするサービスが、店舗内に設置された画像形成装置を利用するサービスである請求項３記載の情報処理装置である。
【００１２】
請求項７に係る本発明は、前記ソフトウェアプログラムが、ある特定のサービスを利用するためのアプリケーションプログラムである請求項１から６のいずれか１項記載の情報処理装置である。
【００１３】
請求項８に係る本発明は、受信可能な電波に含まれる識別情報を取得する取得手段と、
前記取得手段により取得された識別情報により推定される利用者が位置する場所において利用可能なサービスに関する情報を表示する表示手段とを備えた情報処理装置である。
【００１４】
請求項９に係る本発明は、前記識別情報が、無線ＬＡＮのアクセスポイントの識別子である請求項１から８のいずれか記載の情報処理装置である。
【００１５】
請求項１０に係る本発明は、前記識別子が、無線ＬＡＮのアクセスポイントのＳＳＩＤである請求項９記載の情報処理装置である。
【００１６】
［プログラム］
請求項１１に係る本発明は、受信可能な電波に含まれる識別情報を取得する取得ステップと、
前記取得ステップにおいて取得された識別情報により推定される利用者が位置する場所において利用可能なソフトウェアプログラムを起動する起動ステップとをコンピュータに実行させるためのプログラムである。
【発明の効果】
【００１７】
請求項１に係る本発明によれば、あるサービスを利用しようとする利用者が位置する場所において利用可能なソフトウェアプログラムを自動的に起動させることが可能な情報処理装置を提供することができる。
【００１８】
請求項２に係る本発明によれば、あるサービスを利用しようとする利用者が位置する場所において利用可能なソフトウェアプログラムを自動的に起動させることが可能な情報処理装置を提供することができる。
【００１９】
請求項３に係る本発明によれば、あるサービスを利用しようとする利用者が位置する店舗において利用可能なソフトウェアプログラムを自動的に起動させることが可能な情報処理装置を提供することができる。
【００２０】
請求項４に係る本発明によれば、あるサービスを提供している複数の場所が隣接している場合でも、あるサービスを利用しようとする利用者が位置する場所において利用可能なソフトウェアプログラムを自動的に起動させることが可能な情報処理装置を提供することができる。
【００２１】
請求項５に係る本発明によれば、利用者が位置する場所では利用可能なサービスが無いことを利用者に通知することが可能な情報処理装置を提供することができる。
【００２２】
請求項６に係る本発明によれば、店舗内に設置された画像形成装置を用いたサービスを利用しようとする利用者が位置する店舗において利用可能なソフトウェアプログラムを自動的に起動させることが可能な情報処理装置を提供することができる。
【００２３】
請求項７に係る本発明によれば、あるサービスを利用しようとする利用者が位置する場所において利用可能なアプリケーションプログラムを自動的に起動させることが可能な情報処理装置を提供することができる。
【００２４】
請求項８に係る本発明によれば、店舗内に設置された画像形成装置を利用するサービスを利用しようとする利用者が位置する場所において利用可能なソフトウェアプログラムを自動的に起動させることが可能な情報処理装置を提供することができる。
【００２５】
請求項９に係る本発明によれば、無線ＬＡＮのアクセスポイントにより送信される電波を受信するだけで、あるサービスを利用しようとする利用者が位置する場所において利用可能なソフトウェアプログラムを自動的に起動させることが可能な情報処理装置を提供することができる。
【００２６】
請求項１０に係る本発明によれば、無線ＬＡＮのアクセスポイントにより送信される電波を受信するだけで、あるサービスを利用しようとする利用者が位置する場所において利用可能なソフトウェアプログラムを自動的に起動させることが可能な情報処理装置を提供することができる。
【００２７】
請求項１１に係る本発明によれば、あるサービスを利用しようとする利用者が位置する場所において利用可能なソフトウェアプログラムを自動的に起動させることが可能なプログラムを提供することができる。
【図面の簡単な説明】
【００２８】
【図１】本発明の一実施形態の情報処理システムの構成を示す図である。
【図２】本発明の一実施形態における端末装置１０のハードウェア構成を示すブロック図である。
【図３】本発明の一実施形態における端末装置１０の機能構成を示すブロック図である。
【図４】ＡＡＡショップ、ＢＢＢショップ及びＣＣＣショップの無料Ｗｉ−ＦｉサービスにおけるＳＳＩＤと、ＡＡＡショップ、ＢＢＢショップ及びＣＣＣショップに設置されているマルチコピー機を利用するためのアプリとがそれぞれ対応付けられた情報の一例を示す図である。
【図５】ユーザがあるショップに入店して、上述した起動アプリ自動選択用のアプリを起動した場合の端末装置１０の動作を説明するためのフローチャートである。
【図６】起動アプリ自動選択用のアプリを起動する場合の操作を説明するための図である。
【図７】ＳＳＩＤ取得部３２により取得されたＳＳＩＤのリストの一例を示す図である。
【図８】ＡＡＡショップ用のマルチコピー機操作用アプリが起動された状態の端末装置１０の操作画面例を示す図である。
【図９】ＳＳＩＤ取得部３２により取得されたＳＳＩＤのリストの他の例を示す図である。
【図１０】ＢＢＢショップ用のマルチコピー機操作用アプリが起動された状態の端末装置１０の操作画面例を示す図である。
【図１１】ＡＡＡショップ用のマルチコピー機操作用アプリまたはＢＢＢショップ用のマルチコピー機操作用アプリのいずれを選択して起動するかをユーザに問い合わせる際の表示画面例を示す図である。
【図１２】ユーザが端末装置１０を保持した状態であるコーヒーショップに入店した際に、そのコーヒーショップにおいて利用可能なクーポン券が自動的に表示される様子を説明するための図である。
【発明を実施するための形態】
【００２９】
次に、本発明の実施の形態について図面を参照して詳細に説明する。
【００３０】
図１は本発明の一実施形態の情報処理システムの構成を示す図である。
【００３１】
本発明の一実施形態の画像形成システムは、図１に示されるように、ユーザ（利用者）により保持され移動可能な情報処理装置である端末装置１０と、コンビニエンスショップ等に設置された画像形成装置３０とにより構成される。
【００３２】
端末装置１０は、スマートフォン（以下、単にスマホと略す。）や、タブレット端末装置、ノート型パーソナルコンピュータ等の、保持して移動可能であり無線ＬＡＮ（Local Area Network ）接続可能な各種装置である。
【００３３】
ここで、画像形成装置１０は、印刷（プリント）機能、スキャン機能、複写（コピー）機能、ファクシミリ機能等の複数の機能を有するいわゆる複合機（マルチコピー機）と呼ばれる装置である。
【００３４】
端末装置１０には、ＡＡＡショップ内に設置されている画像形成装置３０を利用するためのＡＡＡショップ用マルチコピー機操作用アプリケーションプログラム（以下アプリと略す。）が予めダウンロードされ利用可能となっている。そして、端末装置１０では、このＡＡＡショップ用マルチコピー機操作用アプリを起動することにより、画像形成装置３０に対する印刷指示や画像形成装置３０によりスキャンされた画像データの受取等の各種操作を実行することができるようになっている。
【００３５】
さらに、端末装置１０には、ＢＢＢショップ内に設置されている画像形成装置を利用するためのＢＢＢショップ用マルチコピー機操作用アプリや、ＣＣＣショップ内に設置されている画像形成装置を利用するためのＢＢＢショップ用マルチコピー機操作用アプリも予めダウンロードされ利用可能となっている。そして、端末装置１０では、このＢＢＢショップ用マルチコピー機操作用アプリやＣＣＣショップ用マルチコピー機操作用アプリを起動することにより、ＢＢＢショップやＣＣＣショップにおいても画像形成装置に対する印刷指示や画像形成装置によりスキャンされた画像データの受取等の各種操作を実行することができるようになっている。
【００３６】
なお、端末装置１０と画像形成装置３０との間は、Ｗｉ−Ｆｉ（登録商標）等の無線ＬＡＮにより接続するようにしてもよいし、Ｂｌｕｅｔｏｏｔｈ（登録商標）等の近距離無線通信回線を介して接続するようにしてもよい。
【００３７】
そして、図１では、画像形成装置３０は、ＡＡＡショップ内に設置されている。このＡＡＡショップは、チェーン展開したコンビニエンスストアのように、同じ店名のショップが数多く設置されているうちの１つである。
【００３８】
そして、この数多くのＡＡＡショップでは、それぞれの店舗内において、無料の無線ＬＡＮ接続サービスである、フリーＷｉ−Ｆｉサービスを提供している。このフリーＷｉ−Ｆｉサービスとは、ユーザが予め登録等の設定をしておくことにより、店内において無料でＷｉ−Ｆｉ接続を行うことができ、インターネットへ接続することが可能となるサービスである。
【００３９】
そのため、このＡＡＡショップでは、無線ＬＡＮのアクセスポイントとして機能する無線ＬＡＮターミナル２０が店舗内に設置されている。
【００４０】
ここで、無線ＬＡＮのアクセスポイントから送信される電波には、無線ＬＡＮのアクセスポイントを識別するための識別子としてＳＳＩＤ（Service Set IDentifier）という識別子が含まれている。このＳＳＩＤは、最大３２文字の英数字により表現されるようになっている。そして、無線ＬＡＮに接続しようとする装置は、このＳＳＩＤにより受信した電波がどのアクセスポイントから送信された電波かを特定することができるようになっている。
【００４１】
本実施形態では、ＡＡＡショップ内の無線ＬＡＮのアクセスポイントから送信される電波には、「AAAspot」というＳＳＩＤが含まれている。端末装置１０を保持したユーザがＡＡＡショップ内に入った場合、「AAAspot」というＳＳＩＤが含まれている電波を受信して無線ＬＡＮ接続を行うことにより、上記のフリーＷｉ−Ｆｉサービスを利用することが可能となる。
【００４２】
なお、本実施形態では、ＡＡＡショップとは異なるＢＢＢショップのフリーＷｉ−Ｆｉサービスでは「BBB#free#wifi」というＳＳＩＤが用いられ、ＡＡＡショップおよびＢＢＢショップとは異なるＣＣＣショップのフリーＷｉ−Ｆｉサービスでは「CCC#wi-fi」というＳＳＩＤが用いられているものとして説明する。
【００４３】
そして、ＢＢＢショップやＣＣＣショップにおいても、ＡＡＡショップと同様に、店舗内にマルチコピー機を設置して、それぞれのマルチコピー機を利用するためのマルチコピー機操作用アプリを配信している。ＡＡＡショップ、ＢＢＢショップやＣＣＣショップの事業主が異なるのであれば、通常、ＡＡＡショップ用マルチコピー機操作用アプリによって、ＢＢＢショップやＣＣＣショップ内に設置されているマルチコピー機を利用することはできない可能性が高い。
【００４４】
しかし、ユーザが、今いるショップがＡＡＡショップなのか、またはＢＢＢショップまたはＣＣＣショップなのかを勘違いしてしまうと、ＡＡＡショップ用マルチコピー機操作用アプリを起動して、ＢＢＢショップやＣＣＣショップにおいて設置されているマルチコピー機を操作しようとする状況が発生し得る。
【００４５】
そして、このような状況が発生すると、ユーザは、マルチコピー機を操作できないのが、自身の操作が間違っているのか、マルチコピー機に不具合があるのか、保持している端末装置１０に何か原因があるのかが分からなくなり時間を浪費することにもなってしまう。
【００４６】
次に、本実施形態の画像形成システムにおける端末装置１０のハードウェア構成を図２に示す。
【００４７】
端末装置１０は、図２に示されるように、ＣＰＵ１１、メモリ１２、ハードディスクドライブ（ＨＤＤ）等の記憶装置１３、ネットワークを介して外部の装置等との間でデータの送信及び受信を行う通信インタフェース（ＩＦ）１４、タッチパネル又は液晶ディスプレイ並びにキーボードを含むユーザインタフェース（ＵＩ）装置１５を有する。これらの構成要素は、制御バス１６を介して互いに接続されている。
【００４８】
ＣＰＵ１１は、メモリ１２または記憶装置１３に格納された制御プログラムに基づいて所定の処理を実行して、端末装置１０の動作を制御する。なお、本実施形態では、ＣＰＵ１１は、メモリ１２または記憶装置１３内に格納された制御プログラムを読み出して実行するものとして説明するが、当該プログラムをアプリとしてダウンロードしてＣＰＵ１１に提供することも可能である。
【００４９】
図３は、上記の制御プログラムが実行されることにより実現される端末装置１０の機能構成を示すブロック図である。
【００５０】
本実施形態の端末装置１０は、図３に示されるように、無線通信部３１と、ＳＳＩＤ取得部３２と、表示部３３と、制御部３４と、データ記憶部３５と、操作入力部３６とを備えている。
【００５１】
無線通信部３１は、無線通信回線を介して画像形成装置３０や無線ＬＡＮターミナル２０との間でデータの送受信を行う。
【００５２】
ＳＳＩＤ取得部３２は、無線通信部３１により受信可能な電波に含まれる識別情報であるＳＳＩＤを取得する。具体的には、ＳＳＩＤ取得部３２は、無線通信部３１により受信された電波、つまり無線ＬＡＮターミナル２０により送信された電波からＳＳＩＤを取得する。
【００５３】
操作入力部３６は、ユーザ（利用者）からの各種操作を入力する。また、表示部３３は、制御部３４による制御に基づいて各種情報を表示する。
【００５４】
制御部３４は、操作入力部３６から入力されたユーザの操作に基づいて、あるサービスを利用者に提供する。具体的には、制御部３４は、ユーザから印刷指示を受けた画像データを、無線通信部３１を介して画像形成装置３０に送信することにより、画像形成装置３０において画像データの印刷処理を実行するようなサービスを提供する。以下このサービスをマルチコピー機利用サービスと呼ぶ。
【００５５】
データ記憶部３５は、制御部３４が各種制御を行うためのデータを記憶する。例えば、データ記憶部３５は、画像形成装置３０により印刷しようとする写真画像等の画像データや、画像形成装置３０によりスキャンした画像データ等を格納する。また、データ記憶部３５は、図４に示すように、ＡＡＡショップ、ＢＢＢショップ及びＣＣＣショップの無料Ｗｉ−ＦｉサービスにおけるＳＳＩＤと、ＡＡＡショップ、ＢＢＢショップ及びＣＣＣショップに設置されているマルチコピー機を利用するためのアプリとがそれぞれ対応付けられた情報を記憶する。
【００５６】
つまり、データ記憶部３５は、無線通信部３１により受信された電波に含まれるＳＳＩＤと、このＳＳＩＤが取得される店舗において提供されているサービスを利用するためのアプリとを対応付けて記憶している。
【００５７】
そして、端末装置１０には、起動するマルチコピー機操作用アプリを自動的に選択するための起動アプリ自動選択アプリがインストールされている。この起動アプリ自動選択アプリは、受信された電波から取得されたＳＳＩＤによりユーザのいる店舗の種類を推定（判定）し、推定された店舗に対応したマルチコピー機操作用アプリを自動的に選択して起動するためのアプリである。
【００５８】
このような起動アプリ自動選択アプリが起動された状態でユーザがある店舗に入った場合、制御部３４は、ＳＳＩＤ取得部３２により取得されたＳＳＩＤにより推定されるユーザの位置する店舗において利用可能なアプリを起動する。
【００５９】
具体的には、制御部３４は、ＳＳＩＤ取得部３２により取得されたＳＳＩＤと対応付けてデータ記憶部３５に記憶されているアプリを、ユーザが位置する店舗において利用可能なアプリとして起動する。
【００６０】
つまり、制御部３４は、ＳＳＩＤ取得部３２により取得されたＳＳＩＤにより利用者の位置する店舗の種類を推定し、推定されたユーザの位置する店舗において利用可能なアプリを起動する。例えば、起動アプリ自動選択アプリを起動させた状態でユーザがＡＡＡショップに入った場合、ＳＳＩＤ取得部３２により取得されたＳＳＩＤがＡＡＡショップのＳＳＩＤ「AAAspot」であった場合、制御部３４は、ユーザはＡＡＡショップにいると推定する。そして、制御部３４は、ユーザがいると推定したＡＡＡショップにおいて利用可能なＡＡＡショップ用のマルチコピー機操作用アプリを起動する。
【００６１】
なお、複数のショップが隣接しているような場合、ユーザがあるショップに入った場合でも近くの他のショップにおいて送信されているアクセスポイントからの電波を受信することができてしまう場合がある。
【００６２】
そのため、制御部３４は、ＳＳＩＤ取得部３２により取得されたＳＳＩＤにより推定されるユーザが位置する店舗において利用可能なアプリが複数ある場合、ユーザに複数のアプリを提示した後に、ユーザにより選択されたアプリを起動するようにしてもよい。
【００６３】
例えば、ＳＳＩＤ取得部３２によって「AAAspot」、「BBB#free#wifi」という２つのＳＳＩＤが取得された場合、制御部３４は、ＡＡＡショップ用のマルチコピー機操作用アプリおよびＢＢＢショップ用のマルチコピー機操作用アプリをユーザに提示する。そして、制御部３４は、提示した２つのアプリのうち選択されたアプリの方を起動する。
【００６４】
また、ＳＳＩＤ取得部３２により取得されたＳＳＩＤにより推定されるユーザが位置する店舗において利用可能なアプリが存在しない場合、いずれのサービスも利用可能ではない旨をユーザに通知するようにしても良い。
【００６５】
例えば、ユーザがあるショップに入り起動アプリ自動選択用のアプリを起動した場合、そのショップがＡＡＡショップ、ＢＢＢショップ及びＣＣＣショップのいずれでもない場合、ユーザがインストールしているアプリではサービスを利用することはできない。そのため、制御部３４は、ユーザに対して、ＡＡＡショップ、ＢＢＢショップ及びＣＣＣショップのマルチコピー機利用サービスのいずれも利用可能でない旨を通知する。
【００６６】
次に、本発明の一実施形態の情報処理システムの動作について図面を参照して詳細に説明する。
【００６７】
図５は、ユーザがあるショップに入店して、上述した起動アプリ自動選択用のアプリを起動した場合の端末装置１０の動作を説明するためのフローチャートである。
【００６８】
先ず、ユーザは、あるショップに入店した後に、図６に示すように、画像形成装置１０の操作画面上におけるアイコン５１をタッチして、起動アプリ自動選択用のアプリを起動する（ステップＳ１０１）。なお、図６に示されるように、端末装置１０には、ＡＡＡショップ用のマルチコピー機操作用アプリ、ＢＢＢショップ用のマルチコピー機操作用アプリ及びＣＣＣショップ用のマルチコピー機操作用アプリが予めインストールされている。
【００６９】
そして、この起動アプリ自動選択用のアプリが起動されると、無線通信部３１はユーザがいる店舗内において送信された電波を受信する。すると、ＳＳＩＤ取得部３２は、無線通信部３１により受信された電波に含まれるＳＳＩＤを取得する。そして、制御部３４は、ＳＳＩＤ取得部３２により取得されたＳＳＩＤのリストを生成することにより、受信可能なＷｉ−Ｆｉアクセスポイントのリストを生成する（ステップＳ１０２）。例えば、ＳＳＩＤ取得部３２により取得されたＳＳＩＤのリスト例を図７に示す。
【００７０】
次に、制御部３４は、生成されたＳＳＩＤのリストの中に、ＡＡＡショップのＳＳＩＤ「AAAspot」が含まれているか否かを判定する（ステップＳ１０３）。
【００７１】
例えば、図７に示したＳＳＩＤのリスト例では、取得されたＳＳＩＤのリスト例中に、「AAAspot」というＳＳＩＤが含まれている。そのため、制御部３４は、ユーザはＡＡＡショップにいると判定して（ステップＳ１０３においてｙｅｓ）、ＡＡＡショップ用のマルチコピー機操作用アプリを起動する（ステップＳ１０４）。
【００７２】
このようにしてＡＡＡショップ用のマルチコピー機操作用アプリが起動された状態の端末装置１０の操作画面例を図８に示す。図８では、ユーザが今いるＡＡＡショップで利用可能なＡＡＡショップ用のマルチコピー機操作用アプリが起動されており、ユーザは、このアプリを操作してＡＡＡショップ内に設置されている画像形成装置３０を用いたサービスを利用することができる。
【００７３】
つまり、ユーザは今自分がいるショップがＡＡＡショップなのかＢＢＢショップなのか、またはＣＣＣショップなのかを意識することなく、起動アプリ自動選択用のアプリを起動するだけで、自分が今いるショップで利用可能なアプリを自動的に起動させることができる。
【００７４】
さらに、ＳＳＩＤ取得部３２により取得されたＳＳＩＤのリストが図９に示すようなものであった場合について説明する。
【００７５】
図９に示したＳＳＩＤのリスト例では、取得されたＳＳＩＤのリスト例中に、「AAAspot」というＳＳＩＤが含まれておらず、代わりにＢＢＢショップにおいて提供されているフリーＷｉ−ＦｉのＳＳＩＤである「BBB#free#wifi」が含まれている。
【００７６】
そのため、図９に示したＳＳＩＤのリスト例では、取得されたＳＳＩＤのリスト例中に、「AAAspot」というＳＳＩＤが含まれていないため（ステップＳ１０３においてｎｏ）、制御部３４は、生成されたＳＳＩＤのリストの中に、ＢＢＢショップのＳＳＩＤ「BBB#free#wifi」が含まれているか否かを判定する（ステップＳ１０５）。
【００７７】
そして、図９に示したＳＳＩＤのリスト例では、取得されたＳＳＩＤのリスト例中に、「BBB#free#wifi」というＳＳＩＤが含まれている。そのため、制御部３４は、ユーザはＢＢＢショップにいると判定して（ステップＳ１０５においてｙｅｓ）、ＢＢＢショップ用のマルチコピー機操作用アプリを起動する（ステップＳ１０６）。
【００７８】
このようにしてＢＢＢショップ用のマルチコピー機操作用アプリが起動された状態の端末装置１０の操作画面例を図１０に示す。図１０では、ユーザが今いるＢＢＢショップで利用可能なＢＢＢショップ用のマルチコピー機操作用アプリが起動されており、ユーザは、このアプリを操作してＢＢＢショップ内に設置されている画像形成装置を用いたサービスを利用することができる。
【００７９】
同様に、制御部３４は、生成したＳＳＩＤのリスト中に「AAAspot」、「BBB#free#wifi」のいずれも含まれていない場合、ＳＳＩＤのリスト中に「CCC#wi-fi」が含まれているか否かを判定して、含まれている場合にはＣＣＣショップ用のマルチコピー機操作用アプリを起動する。
【００８０】
そして、制御部３４は、生成したＳＳＩＤのリスト中に「AAAspot」、「BBB#free#wifi」、「CCC#wi-fi」のいずれも含まれていない場合、ユーザが今いる場所ではマルチコピー機が設置されておらず、マルチコピー機利用サービスを利用可能でない旨を、表示部３３等を介して通知する（ステップＳ１０７）。
【００８１】
また、ＳＳＩＤ取得部３２により取得された複数のＳＳＩＤの中に「AAAspot」と「BBB#free#wifi」の両方が含まれていた場合、制御部３４は、図１１に示すような表示を行ってユーザに、ＡＡＡショップ用のマルチコピー機操作用アプリまたはＢＢＢショップ用のマルチコピー機操作用アプリのいずれを選択して起動するかを問い合わせる。そして、制御部３４は、ユーザにより選択されたマルチコピー機操作用アプリを起動する。図１１では、ユーザがＢＢＢショップ用のマルチコピー機操作用アプリを選択した場合が示されている。
【００８２】
[変形例]
なお、上記実施形態では、ＳＳＩＤ取得部３２により取得されたＳＳＩＤに基づいて、予めインストールされた複数のアプリの中から起動するアプリを選択して自動的に起動する場合を用いて説明した。しかし、ＳＳＩＤ取得部３２により取得されたＳＳＩＤによりユーザのいる場所を推定して、推定された場所において利用可能なサービスに関する情報を表示するようなことも可能である。
【００８３】
この場合、制御部３４は、ＳＳＩＤ取得部３２により取得されたＳＳＩＤにより推定されるユーザが位置する場所において利用可能なサービスに関する情報を表示部３３に表示させるように制御する。
【００８４】
このような制御を行うことにより、例えば、ユーザが端末装置１０を保持した状態であるコーヒーショップに入店すると、図１２に示すように、そのコーヒーショップにおいて利用可能なクーポン券を自動的に表示させるようなことが可能となる。
【００８５】
また、空港において提供されているフリーＷｉ−ＦｉのＳＳＩＤを端末装置１０が受信した場合に、その空港における注意事項、利用案内等の各種情報を自動的に表示するようなことも可能となる。
【００８６】
ただし、このような制御を実現するためには、操作画面上に表示する表示用データをＳＳＩＤと対応付けて予め記憶しておく必要がある。例えば、このＳＳＩＤと表示用データとを対応付けてサーバ装置に記憶させておき、端末装置１０がＳＳＩＤを取得すると取得したサーバ装置に送信して、サーバ装置からこのＳＳＩＤに対応した表示用データを端末装置１０に送信するようにすれば良い。また、ＳＳＩＤと対応付けて記憶させる表示用データのデータ量が少ない場合には、端末装置１０内に記憶するようにしても良い。
【００８７】
また、上記実施形態では、端末装置１０によって提供されるサービスが、店舗内に設置されたマルチコピー機（画像形成装置）を利用するサービスである場合について説明したが、本発明はこのような場合に限定されるものではない。ある店舗内において提供されるサービスを端末装置１０により利用するような場合であれば本発明を同様に適用することができるものである。
【００８８】
また、上記実施形態では、ＳＳＩＤ取得部３２により取得されたＳＳＩＤに応じて、予めインストールされているアプリの中から特定のアプリを起動する場合を用いて説明したが本発明はこのような場合に限定されるものではない。本発明は、ＳＳＩＤ取得部３２により取得されたＳＳＩＤに応じて、ある特定のサービスを利用するためのアプリケーションプログラムを起動するような場合でも同様に適用することができるものである。
【００８９】
さらに、上記実施形態では、無線ＬＡＮのアクセスポイントの識別子であるＳＳＩＤを用いて、ユーザがいる場所または店舗の種類等を推定して、ユーザが現在あるサービルを利用可能な状態であるか否かの判定を行う場合について説明した。しかし、本発明は、このような場合に限定されるものではなく、店舗内において送信されている電波に含まれる識別情報によりユーザのいる場所または店舗の種類等を判定可能であれば、本発明を同様に適用することが可能である。
【符号の説明】
【００９０】
１０    端末装置
１１    ＣＰＵ
１２    メモリ
１３    記憶装置
１４    通信インタフェース（ＩＦ）
１５    ユーザインタフェース（ＵＩ）装置
１６    制御バス
２０    無線ＬＡＮターミナル
３０    画像形成装置
３１    無線通信部
３２    ＳＳＩＤ取得部
３３    表示部
３４    制御部
３５    データ記憶部
３６    操作入力部
５１    アイコン
【図１】
2019186616.tif 000003
【図２】
2019186616.tif 000004
【図３】
2019186616.tif 000005
【図４】
2019186616.tif 000006
【図５】
2019186616.tif 000007
【図６】
2019186616.tif 000008
【図７】
2019186616.tif 000009
【図８】
2019186616.tif 000010
【図９】
2019186616.tif 000011
【図１０】
2019186616.tif 000012
【図１１】
2019186616.tif 000013
【図１２】
2019186616.tif 000014